(57)【特許請求の範囲】
【請求項１】
適宜間隔で立設した支柱に遭難していることを表示する表示部材を設け、この表示部材に太陽電池で駆動して携帯電話ないし簡易型携帯電話（Personal Handy phone System ：ＰＨＳ）の電波を送受信する通信装置を設け、
支柱に、毛布、水、食料、医療品等非常時に役立つ物品を供給する物品供給装置を設け、該物品供給装置は、支柱に対し昇降自在に設け、また、支柱下方に雪センサーを設け、該雪センサーからの出力で物品供給装置を昇降制御し、該センサー及び物品供給装置は太陽電池を電源とすることを特徴とする遭難位置表示装置。
【請求項２】
適宜間隔で立設した支柱に遭難していることを表示する表示部材を設け、この表示部材にスイッチにより太陽電池で駆動する複数の発光体を設け、支柱に、毛布、水、食料、医療品等非常時に役立つ物品を供給する物品供給装置を設け、該物品供給装置は、支柱に対し昇降自在に設け、また、支柱下方に雪センサーを設け、該雪センサーからの出力で物品供給装置を昇降制御し、該センサー及び物品供給装置は太陽電池を電源とすることを特徴とする遭難位置表示装置。
【請求項３】
表示部材にスイッチにより太陽電池で駆動する救難信号及び位置情報を発信する発信器を設けた請求項２記載の遭難位置表示装置。
【発明の詳細な説明】
【０００１】
【発明の属する技術分野】
本発明は、山岳地帯等において遭難者の早期救出を行うため、遭難の発生および遭難者の位置を素早く知らせる遭難位置表示装置に関するものである。
【０００２】
【従来の技術】
従来、様々な対策がとられてきたが、山岳における遭難者は多発してきた。例えば警察庁のまとめによると、平成11年の全国の山岳遭難発生件数は1915件で、遭難者数は1444人、うち死者・行方不明者は271 人にのぼる。
【０００３】
遭難が発生した場合、遭難者をいち早く発見、救助することが重要である。時間が経つにつれ装備が充分でない遭難者は体力を失う。また冬山では遭難者を長時間放置することは凍傷や低体温症等の危険を生む。遭難者が怪我をしている場合は救出までの僅かな時間の差が生死を分けることも珍しくない。
【０００４】
しかし、通常遭難の発生は、遭難者の山岳からの帰還が長時間確認されないことによって初めて認識される。そのため遭難の発生の認識までに数日間を要することも珍しくない。
【０００５】
また、広大な山岳地帯から遭難者を発見することは非常に困難である。単純な捜索方法では短時間で遭難者を発見するには、大人数の捜索者による大規模な捜索が必要であり、膨大な費用と労力を必要とする。
【０００６】
遭難者がトランシーバーや携帯電話、簡易型携帯電話（Personal Handy phone System ：ＰＨＳ）等の無線通信機を携帯している場合、救出者への連絡や情報の疎通が可能である。しかし、山岳地帯では高く聳える山が電波障害を起こし、これら電波を利用した通信手段は使用出来ないことが多い。
【０００７】
位置の解らない遭難者を探すことは捜索者自身が遭難するという二次災害の危険性もある。しかし、遭難者の位置が的確に分かれば、素早く安全な救助が可能となる。
【０００８】
このため、遭難者の位置を知らせるための発明が様々になされてきた。遭難者の位置を知らせるための発明としては特開平７−２７０５２６号公報、特願平６−９５３８６号公報の遭難通報用装置、特開平９−１９０５８５号公報、特願平８−２０８６２４号公報の遭難位置表示装置、特開２０００−２３２９０９号公報, 特願平１１−７２７４５２号公報の救難通報機能を備えた時計バンド等がある。これらの発明品はレーダーやＧＰＳ（Global Positioning System ）受信機、ブザー等を用いて発明品の位置を特定することにより、発明品を携帯している遭難者の位置を確定するものである。そのため、遭難者が発明品を携帯している必要がある。しかし、これら発明品は高価である場合が多く、売られている場所も限られており、入手困難であった。そのため遭難者が携帯していることが少ないというのが現状である。
【０００９】
【発明が解決しようとする課題】
先に述べたように、通常の方法では遭難の発生から遭難認識まで長時間かかったり、遭難者を短時間で探し出すのは非常に困難であった。
【００１０】
トランシーバー等、電波による無線通信機を有していても、山岳地帯などでは電波が山によって遮られ、通信手段として使用出来ない場合があった。
【００１１】
また遭難者の位置を救助者に知らせるための従来の発明品は、遭難者がその発明品を携帯していることが必要であったり、動力が電気であるものが多いため、電力を得られない場合には使用出来ないことがあった。
【００１２】
本発明の目的は前記従来例の不都合を解消し、携帯の必要が無く、素早く遭難の発生と遭難場所を救助者に知らせることができる遭難位置表示装置を提供することにある。
【００１３】
【課題を解決するための手段】
本発明は前記目的を達成するため、第１に、適宜間隔で立設した支柱に遭難していることを表示する表示部材を設け、この表示部材に太陽電池で駆動して携帯電話ないし簡易型携帯電話（Personal Handy phone System ：ＰＨＳ）の電波を送受信する通信装置を設け、支柱に、毛布、水、食料、医療品等非常時に役立つ物品を供給する物品供給装置を設け、該物品供給装置は、支柱に対し昇降自在に設け、また、支柱下方に雪センサーを設け、該雪センサーからの出力で物品供給装置を昇降制御し、該センサー及び物品供給装置は太陽電池を電源とすることを要旨とするものである。
【００１４】
第２に、適宜間隔で立設した支柱に遭難していることを表示する表示部材を設け、この表示部材にスイッチにより太陽電池で駆動する複数の発光体を設け、支柱に、毛布、水、食料、医療品等非常時に役立つ物品を供給する物品供給装置を設け、該物品供給装置は、支柱に対し昇降自在に設け、また、支柱下方に雪センサーを設け、該雪センサーからの出力で物品供給装置を昇降制御し、該センサー及び物品供給装置は太陽電池を電源とすることを要旨とするものである。
【００１５】
第３に、表示部材にスイッチにより太陽電池で駆動する救難信号及び位置情報を発信する発信器を設けたことを要旨とするものである。
【００１６】
請求項１記載の本発明によれば、遭難する危険のある地域や遭難多発地帯等に適宜間隔を設けて設置してあるので、遭難者は遭難時に遭難していることを表示する表示部材を発見することで、送信装置を使用することが出来る。このため、遭難者が送信装置を携帯する必要が無い。
【００１７】
支柱に設けられた表示部材は遭難していることを知らせる文字ないし記号等を表示することにより遭難していることを周囲に広く知らせ、遭難者が遠方より表示部材を認識することで本発明品の発見が容易となり、また、救出者も遠方より表示部材を認識し、それを目指して進むことで、遭難者をより早く発見することができる。
【００１８】
さらに、表示部材には太陽電池で駆動して電波を送受信する通信装置としてのアンテナがあり、これにより山岳地帯でも遭難者の持つ無線通信機の電波を救出者に届けることができ、遭難者は救出者に遭難の発生を知らせたり、情報を伝達したりすることが可能となる。電波を広範囲に届けるのには、通常出来るだけ高い位置に設けることが望ましい。この送信装置は、太陽電池を電力源として動くものであるため、電線をひく又は電池等の電力源を用意する等、外部から電力を供給することなく、半永久的に電力を供給することができる。
【００１９】
また、アンテナによる通信装置は携帯電話ないし簡易型携帯電話（ＰＨＳ）の電波を送受信するもので、これにより、遭難者が携帯電話や簡易型携帯電話（ＰＨＳ）を持っている場合、それにより救出者に連絡をすることができる。最近の携帯電話の普及率は高く、遭難者が携帯電話を所有している可能性も高い。携帯電話が通じれば、会話することが可能であるため、救出者が遭難者から遭難発生や遭難場所を聞き出すだけでなく、遭難者の細かな状態を確認したり、新たな情報を遭難者に知らせたりすることも可能となる。
【００２０】
また、支柱に非常時に役立つ物品を供給する物品供給装置を設けることにより、遭難者が必要な物品を入手することが可能である。例えば、雪山などでは寒さを防ぐための毛布や発熱材などが役に立つだろう。また食料や水が手に入れば、遭難者は長期にわたって生存することが可能となる。また、遭難者が被った怪我や病気に対して、医療品が手に入れば、遭難者の生存率を上げることが出来る。また物品供給装置は特別動力源の要らないものと、電力等の動力源を必要とするものが考えられる。電力を必要とする物品供給装置の場合太陽電池を電力源とする。
【００２１】
さらに、前記物品供給装置は支柱に対し昇降自在に移動し、降雪期には物品供給装置の高さ位置を変え、雪に埋もれることを防ぐものである。夏期には自動物品供給装置は通常の人間の使用に適した高さ位置に設置する。しかし、この位置のままでは降雪期には雪で埋もれてしまう恐れがある。自動物品供給装置を支柱に対して昇降自在にして、降雪期には物品供給装置の高さ位置を降雪面より高くしておけば、自動物品供給装置が雪に埋もれることが無くなる。物品供給装置の昇降は手動等、電力を必要としないものによる場合と、モーター等電力を必要とするものによる場合が考えられる。物品供給装置の昇降が電力を必要とするものによる場合太陽電池を電力源とする。
【００２２】
さらに、支柱下方に雪センサーを設け、雪センサーからの出力で物品供給装置が自動に昇降するため、人力によって物品供給装置の高さ位置をいちいち変えなくても雪に埋もれる心配が無い。センサーは温度や電気抵抗、赤外線等によって雪を自動的に感知する。物品供給装置内に設けられたモーターはセンサーからの出力に応じて、自動的に物品供給装置を支柱に対し昇降する。これらにおいて消費される電力は太陽電池から得ることで、外部より特別な電力を供給することなく、稼動することが可能である。降雪期に設けられた物品供給装置の高さ位置を手動で変えることは難しく、かつ物品供給装置の高さを変える人物には遭難や雪崩れ等の危険性が伴うが、自動で物品供給装置が積雪面上に昇降してくれれば、各発明品の元に行く必要もないため、労力もいらず安全である。雪の無い夏期には、自動的に適した位置まで物品供給装置は下降してくれる。
【００２３】
請求項２記載の本発明によれば、前記請求項１の作用と同様であるが、表示部材がスイッチにより太陽電池で駆動する複数の発光体を持つことにより、表示部材はより遠方からの認識が可能である。さらに発光体を持つ表示部は、夜間や薄暗い森間においても、遠くから認識することが可能となる。また該発光体を点滅させればさらに目立つものとなる。該発光体の動力は太陽電池であるため、スイッチを入れることにより、外部からの電力供給がなくとも稼動が可能である。
【００２４】
請求項３記載の本発明によれば、スイッチにより太陽電池で駆動する救難信号及び位置情報を発信する発信器を有することにより、遭難者がトランシーバーや携帯電話、簡易型携帯電話（Personal Handy phone System ：ＰＨＳ）等、無線通信機を携帯していなくとも、救出者に連絡をとることが可能である。
【００２５】
【発明の実施の形態】
以下、図面について本発明の実施の形態を詳細に説明する。図１は本発明の遭難位置表示装置の第１実施形態を示す正面図で、図中１は遭難発生の可能性のある場所ないし遭難多発地域に適宜間隔をあけて設ける支柱である。この支柱１の間隔は特に限るものではないが、遭難者がある程度容易に発見できる距離であることが望ましい。
【００２６】
また、支柱１は長期間形態を維持するためには金属、特に錆びないステンレスやアルミ合金などが好ましく、また、その高さは上端に設けられた表示部材を遠方より認識出来るために最低でも２ｍ以上であることが望ましい。
【００２７】
支柱１の上端には遭難発生時に遭難していることを表示し、救出者に知らせることを目的として、「ＳＯＳ」や「遭難発生」又は「救助求む」等の表示文字を記載した表示部材２を設けた。表示部材２は回転パネル式や液晶画面式等、遭難時にのみ文字を表示するものも考えられる。これらの場合、遭難者が遭難時に本発明品を発見し、スイッチをいれたり、パネルを回転させたりすることにより、表示部材２に文字が表示される。液晶画面式等稼動に電力が必要なものの場合、その電力は後述の太陽電池４から得る。
【００２８】
表示部材２は図示のような円板状の形態をしている場合の他、方形板状や三角形板状でもよく、また必ずしも板状である必要もなく、三方向に対して平面を有する三角柱形、および四方向に対して平面を有する四角柱形、さらには円柱形、球形等立体の表示部材も考えられる。
【００２９】
表示部材２の上部には太陽光線により発電を行う太陽電池４を設置した。この太陽電池４は日光が当たる位置に設置する必要があるので、原則として南を向くものとする。しかし、設置場所はかならずしも表示部材２や支柱１に設けることに限るものではなく、支柱１の周囲の木の上や周囲の地面上や岩上等太陽光が得られる場所に設けてもよい。太陽電池４はバッテリー等電力を貯蓄するものと併用することにより、夜間においても電力の使用が可能となる。
【００３０】
また、表示部材２の上端には通信装置として、携帯電話の電波を受信して送信するアンテナ５を設けた。これにより通常では電波が届かないため、携帯電話が使用出来ない地域でも、携帯電話による連絡が可能となる。このアンテナ５は携帯電話以外にもトランシーバーやＰＨＳ、さらには特殊な発信装置等の無線通信機に適応させることができる。また、このアンテナ５は動力源の電力を太陽電池４により供給する。
【００３１】
また、支柱１の中部には設置された場所が表記されている位置表示部３を設ける。図示の例では位置表示部３は方形板状で支柱の中央に設けてあるが、この形態および設置位置に限るものではない。また、表記内容としては県名、住所、山の名前、標高、位置の名称のほか、経度及び緯度などを表記する。さらに、設置場所を地図上に記入しておけば、認識番号のみでも、地図と照らし合わせることにより遭難者は場所を認識することが可能である。
【００３２】
遭難者が一時的に自分の位置を見失っているだけのような場合、遭難者が位置表示部３を見ることで遭難者自体が自力で遭難から脱出することもできる。また遭難者と救出者間で連絡が取れる場合には、遭難者は自分がどの位置に避難しているかを知らせることができる。これにより、救出者がより確実に素早く、遭難者の存在位置に向かうことが可能となる。そのため位置表示部３は遭難者が容易に見ることが出来る位置と大きさを持つことが望ましい。
【００３３】
さらに、支柱１の下部には毛布、水、食料、衣料品等非常時に役立つものを販売する物品供給装置６を昇降自在に設けた。物品供給装置６は電気により稼動する自動物品供給装置であり、動力源の電力を太陽電池４により供給する。
【００３４】
この物品供給装置６に携帯電話用の急速充電器14を付設してもよい。この急速充電器14によりトランシーバーや携帯電話、簡易型携帯電話（Personal Handy phone System ：ＰＨＳ）の充電が可能となる。
【００３５】
物品供給装置６は、物品を展示する陳列窓６ａ、購入品を決める選択ボタン６ｂ、カード挿入口６ｃ、購入物品が出てくる取出口６ｄからなり、陳列窓６ａは幾つかの小箱とそれを覆う透明のカバーからなり、小箱内には販売している物品の見本品が入っている。
【００３６】
入山届けを出す時にカードを受け取り、そのカードをカード挿入口６ｃに差し入れることで物品供給装置６からの物品の供給を受ける。なお、このカードの代わりに現金を使用することも考えられる。
【００３７】
遭難者はカバーを通して小箱内の見本品を見てどれを供給されるか決定する。陳列窓６ａの各々の下には選択ボタン６ｂがあり、幣投入口６ｃから必要分の貨幣を投入後、購入したい物品が展示されている陳列窓６ａの下にある選択ボタン６ｂを押すことで物品が取出口６ｄから出てくる。遭難者は取出口６ｄより物品を取り出し、使用する。各物品の価格および名称は選択ボタン６ｂ内に記載することとする。
【００３８】
物品供給装置６は必ずしも電気により稼動する自動物品供給装置である必要はなく、例えば単に引き戸、ないし引出しを開けることにより、物品を取り出す物品供給装置なども考えられる。また各物品は、無料又は後請求形式にしてもよい。
【００３９】
物品供給装置６の設置位置としては、避難してきた遭難者が使いやすい位置であることが望ましく、図示の例では支柱１の下部に設置したが、昇降自在にした場合は必ずしもこの位置に限るものではない。
【００４０】
支柱１の根元に温度や電気抵抗、赤外線等により雪の存在を認識する雪センサー７を設け、雪センサー７による出力に応じて物品供給装置６を昇降させるようにする。降雪期には雪センサー７に感知された雪面の上部まで物品供給装置６は上昇する。これにより、物品供給装置６が積雪により雪に埋もれて使用不可能となることを防ぐ。夏期において雪が溶けたことが雪センサー７によって感知されると、物品供給装置６は使用しやすい高さ位置まで下がってくる。センサー７や物品供給装置６を昇降させるモーターの動力源の電力は太陽電池４により供給する。
【００４１】
表示部材２の上端にはこれにおちた雷を安全に地面に逃がすことが出来る避雷針８ａを設け、この避雷針８ａからアース線８ｂをを地面まで伸ばした。通常避雷針は通常最上端に設けるものであるため、第１実施形態では表示部材２の上端に設けたが、必ずしもこの位置に限るものではない。本発明品の実施形態によっては支柱１の上端等、他の場所に設けることも考えられる。
【００４２】
支柱１の高さは前記にあるようにある程度の高さを持ち、かつ金属製であることが望ましい。そのため、落雷する可能性は高く、落雷した場合、表示部材２や太陽電池４、アンテナ５、物品供給装置６、センサー７等が損傷する可能性がある。さらには傍に避難している遭難者がいた場合、落雷は遭難者に重大な被害を及ぼす可能性がある。避雷針８ａを設け、アース線８ｂにより雷を安全に地面に逃がすことにより、これらの危険性が少なくなる。
【００４３】
通常避雷針は通常最上端に設けるものであるため、図示の例は表示部材２の上端に設けたが、必ずしもこの位置に限るものではなく、支柱１の上端等、他の場所に設けることも考えられる。
【００４４】
図２は本発明の遭難位置表示装置の第２実施形態を示す正面図で、支柱１、位置表示部３、物品供給装置６、避雷針８ａ、アース線８ｂに関しては第１実施形態とほぼ同様で詳細説明は省略するが、表示部材２には遭難時にスイッチ11を入れることにより点滅を繰り返す複数の発光体であるランプ９を設けた。さらに、表示部材２の上端には救難信号を発信するとともに、位置を救助者に解らせる発信器10を設ける。
【００４５】
図３は第２実施形態のブロック図で、スイッチ11の出力をマイクロコンピュータ等による制御装置13に導入し、制御手段13からの出力をランプ９、発信器10に導入した。この制御装置13も太陽電池４を電源とする。制御装置13には緊急情報記憶手段13ａ，位置情報記憶手段13ｂ等が形成される。
【００４６】
本実施形態によれば、ランプ９により表示部材２をより遠くから認識することが可能であり、又夜間や薄暗い森林間でも表示部材２の認識が可能となる。ランプ９の動力源の電力は太陽電池４により供給すれば、外部からの電力供給がなくとも稼動が可能である。
【００４７】
さらに、発信器10によりトランシーバーや携帯電話、ＰＨＳ等、無線通信機を携帯していない、ないし携帯していてもなんらかの理由により無線通信機を使用できない避難者も救助者との連絡をとることが可能となる。発信器10の設置場所は発信する電波が広範囲に届く位置であればよく、必ずしも表示部材２の上端に限るものではなく、支柱１の上端や、支柱１周囲の木の上端に設けることも考えられる。発信器10は、遭難時にスイッチ11を入れることにより制御手段13の駆動作用で救難信号を発信等の稼動を始め、緊急情報記憶手段13ａ，位置情報記憶手段13ｂでの緊急避難を求める内容および位置情報が送られる。なお、発信器10の動力源の電力は太陽電池４により供給する。
【００４８】
この第２実施形態において図示の例ではスイッチ11は支柱１の下部に固定されて設けてあるが、積雪時に雪に埋もれることを防止するため、スイッチ11を昇降自在に設けた物品供給装置６に設けることも考えられる。さらに、本実施形態におけるスイッチ11はボタン式で外側のカバーを有し、使用時にはこのカバーを割って内側のボタンを押すことによってスイッチ11を入れるものであるが、必ずしもこの方式に限るものではない。
【００４９】
【発明の効果】
以上述べたように本発明の避難位置表示装置は、遭難の発生する可能性のある場所に適宜間隔を設けて設置し、遭難者は遭難時に使用することにより、遭難の発生と遭難場所を救出者に知らせることができ、安全かつ素早い救出活動が可能となるものである。
【図面の簡単な説明】
【図１】  本発明の遭難位置表示装置の第１実施形態を示す正面図である。
【図２】  本発明の遭難位置表示装置の第２実施形態を示す正面図である。
【図３】  本発明の遭難位置表示装置の第３実施形態のブロック図である。
【符号の説明】
１…支柱                                  ２…表示部材
３…位置表示部                            ４…太陽電池
５…アンテナ                              ６…物品供給装置
６ａ…陳列窓                              ６ｂ…選択ボタン
６ｃ…カード挿入口                        ６ｄ…取出口
７…センサー                              ８ａ…避雷針
８ｂ…アース線                            ９…ランプ
10…発信器                                11…スイッチ
13…制御装置                              13ａ…緊急情報記憶手段
13ｂ…位置情報記憶手段
14…急速充電器
【図１】
0003893896.tif 000002
【図２】
0003893896.tif 000003
【図３】
0003893896.tif 000004